(57)【要約】【課題】重量物を保管したとしても、保管棚本体の縦柱と格納棚の両端部との接続部の破損を防止できる重量物保管棚を提供すること。【解決手段】保管棚本体１に上下方向に所定間隔で複数の格納棚３を水平に設置して重量物を格納する格納スペース４を形成した重量物保管棚において、各格納棚３の両端部には棚部３ａより上下に突出した支持部３ｂを設け、該支持部３ｂの上下の頭部にはそれぞれ凸状円弧面３ｃ，３ｄを形成し、一方、保管棚本体１の各縦柱２の側面には垂直荷重受スペーサ６を設け、該垂直荷重受スペーサ６の受け部６ａ，６ｂにて前記格納棚３の支持部３ｂの凸状円弧面３ｃ，３ｄを滑動自在に支持するようにした。【選択図】    図２
2004307162.tif 000002
【特許請求の範囲】
【請求項１】
保管棚本体に上下方向に所定間隔で複数の格納棚を水平に設置して重量物を格納する格納スペースを形成した重量物保管棚において、
各格納棚の両端部には棚部より上下に突出した支持部を設け、該支持部の上下の頭部にはそれぞれ凸状円弧面を形成し、一方、保管棚本体の各縦柱の側面には垂直荷重受スペーサを設け、該垂直荷重受スペーサの受け部にて前記格納棚の支持部の凸状円弧面を滑動自在に支持するようにしたことを特徴とする重量物保管棚。
【請求項２】
前記垂直荷重受スペーサの受け部には、前記格納棚の支持部の凸状円弧面に合致する凹状円弧面を形成した請求項１に記載の重量物保管棚。
【発明の詳細な説明】
【０００１】
【発明の属する技術分野】
本発明は、重量物を上下方向に間隔をおいて格納する重量物保管棚に関する。
【０００２】
【従来の技術】
従来、保管スペースを有効利用するため、保管物を上下方向に間隔をおいて格納するようにした保管棚が使用されている。この保管棚としては、例えば、特許文献１、２に見られるように、保管棚本体の縦柱に上下方向に所定間隔で複数の格納棚を設置したものが一般的である。
【０００３】
しかし、かかる構成の保管棚に重量物を保管した場合、保管棚本体の縦柱と格納棚の両端部との接続部に大きな力が作用し、その接続部が破損するおそれがあった。
【０００４】
【特許文献１】
実開平６−１４１１５号公報
【０００５】
【特許文献２】
登録実用新案第３０９０１６５号公報
【０００６】
【発明が解決しようとする課題】
本発明が解決しようとする課題は、重量物を保管したとしても、保管棚本体の縦柱と格納棚の両端部との接続部の破損を防止できる重量物保管棚を提供することにある。
【０００７】
【課題を解決するための手段】
上記の課題を解決するために、本発明は、保管棚本体に上下方向に所定間隔で複数の格納棚を水平に設置して重量物を格納する格納スペースを形成した重量物保管棚において、各格納棚の両端部には棚部より上下に突出した支持部を設け、該支持部の上下の頭部にはそれぞれ凸状円弧面を形成し、一方、保管棚本体の各縦柱の側面には垂直荷重受スペーサを設け、該垂直荷重受スペーサの受け部にて前記格納棚の支持部の凸状円弧面を滑動自在に支持するようにしたことを特徴とする。
【０００８】
すなわち、本発明は、垂直荷重受スペーサの受け部にて格納棚の支持部の凸状円弧面を滑動自在に支持するようにしたことによって、垂直荷重受スペーサの受け部にかかる格納棚の支持部からの荷重を真下に伝えるようにしたものである。
【０００９】
また、本発明では、前記垂直荷重受スペーサの受け部には、前記格納棚の支持部の凸状円弧面に合致する凹状円弧面を形成することができる。
【００１０】
【発明の実施の形態】
以下、本発明に係る重量物保管棚を、製鉄所においてスラブを格納するスラブ保管棚に適用した例によって本発明の実施の形態を説明する。
【００１１】
図１は、本発明を適用したスラブ保管棚の部分斜視図である。同図に示すように、スラブ保管棚の保管棚本体１は、所定間隔で配置された複数の縦柱２を有している。そして、隣接する縦柱２，２間には、上下方向に所定間隔で複数の格納棚３が設置されてスラブの格納スペース４が形成されている。それぞれの格納スペース４には、格納棚３の上面にスペーサ５を介してスラブ７が載置され、保管されるようになっている。
【００１２】
図２は、格納棚の両端部と縦柱部分との接合構造（図１のＡ部）の一実施例を示す部分拡大斜視図である。同図において、格納棚３の両端部には、その棚部３ａより上下に突出した支持部３ｂが設けられ、支持部３ｂの上下の頭部にはそれぞれ凸状円弧面３ｃ，３ｄが形成されている。この凸状円弧面３ｃ，３ｄは、直径Ｄの同一の仮想円筒面の一部となるように形成されている。
【００１３】
一方、縦柱２の側面には、垂直荷重受スペーサ６が溶接等によって取り付けられている。垂直荷重受スペーサ６には、支持部３ｂの上下の凸状円弧面３ｃ，３ｄと対向して接する位置にそれぞれ受け部６ａ，６ｂが設けられ、これによって、上下の凸状円弧面３ｃ，３ｄが滑動自在に支持されている。
【００１４】
図３は、垂直荷重受スペーサの受け部にかかる荷重の方向を示す説明図である。以下、図１〜図３を参照して垂直荷重受スペーサの受け部６ａ，６ｂにかかる荷重の方向について説明する。
【００１５】
まず、格納棚３の棚部３に重量物であるスラブ７を載置すると棚部３ａが撓み、その結果、支持部３ｂは、図３における中心Ｏの周りに回転する。しかし、先に説明したように、格納棚３の支持部３ｂの凸状円弧面３ｃ，３ｄは、直径Ｄの同一の仮想円筒面の一部となるように形成されているので、たとえ支持部３ｂが回転したとしても、上段側のものも含めて支持部３ｂからの荷重Ｐは常に垂直軸Ｙ−Ｙを通ることになる。すなわち、支持部３ｂからの荷重Ｐは、垂直荷重受スペーサ６に垂直方向にのみ伝わり、水平方向には伝わらない。したがって、垂直荷重受スペーサ６の受け部６ａ，６ｂ近傍にモーメント力等がかかって破損することが防止されると共に、保管棚本体１の縦柱２が撓んで保管棚全体が変形することも防止される。
【００１６】
図４は、格納棚の両端部と縦柱部分との接合構造（図１のＡ部）の他の実施例を示す部分拡大斜視図である。先に図２で説明した実施例では、垂直荷重受スペーサ６の受け部６ａ，６ｂを水平面としていたが、本実施例では、受け部６ａ，６ｂに、格納棚３の支持部３ｂの上下の凸状円弧面３ｃ，３ｄに合致する凹状円弧面６ｃ，６ｄをそれぞれ形成している。これによって、支持部３ｂの凸状円弧面３ｃ，３ｄが受け部６ａ，６ｂにおいて円滑に滑動することができる。
【００１７】
なお、以上の実施例では、垂直荷重受スペーサ６を縦柱２と別体として設けたが、縦柱２と一体に設けてもよい。
【００１８】
【発明の効果】
本発明によれば、垂直荷重受スペーサの受け部にかかる格納棚の支持部からの荷重が真下に伝わるので、保管棚本体の縦柱と格納棚の両端部との接続部の破損を防止できると共に、保管棚本体の変形も防止できる。
【図面の簡単な説明】
【図１】本発明を適用したスラブ保管棚の部分斜視図である。
【図２】格納棚の両端部と縦柱２部分との接合構造（図１のＡ部）の一実施例を示す部分拡大斜視図である。
【図３】垂直荷重受スペーサの受け部にかかる荷重の方向を示す説明図である。
【図４】格納棚の両端部と縦柱部分との接合構造（図１のＡ部）の他の実施例を示す部分拡大斜視図である。
【符号の説明】
１  保管棚本体
２  縦柱
３  格納棚
３ａ  棚部
３ｂ  支持部
３ｃ，３ｄ  凸状円弧面
４  格納スペース
５  スペーサ
６  垂直荷重受スペーサ
６ａ，６ｂ  受け部
６ｃ，６ｄ  凹状円弧面
７  スラブ
【図１】
2004307162.tif 000003
【図２】
2004307162.tif 000004
【図３】
2004307162.tif 000005
【図４】
2004307162.tif 000006